(57)【特許請求の範囲】
【請求項１】
本体と、カバー部材と、前記本体と前記カバー部材とを連結する連結手段とを有し、シート状体とカートリッジとを収納可能なカートリッジ用収納ケースにおいて、
前記連結手段は、前記本体と前記カバー部材の一方に設けられた支軸部と、前記本体と前記カバー部材の他方に設けられ、前記支軸部に係合する孔部とから構成され、前記カバー部材が前記本体に対して開位置と閉位置との間を回動可能となるように連結しており、
前記カバー部材が前記閉位置に回動したときに、前記本体と前記カバー部材との間には、外部よりカートリッジの出し入れを許容する開口が形成されるとともに、前記カバー部材は、前記開位置へと回動する際に、カートリッジを保持し一体的に回動させるカートリッジ保持部を前記開口の先端から離れて収納ケース内部側に有し、前記カートリッジ保持部により前記開位置でも前記カバー部材の下面に沿って前記カートリッジの出し入れが許容され、
前記カートリッジ用収納ケース内にカートリッジが格納されているか否かに関わらず、前記カバー部材が前記開位置に回動したときには、前記シート状体を出し入れ可能となっていることを特徴とするカートリッジ用収納ケース。
【請求項２】
前記支軸部は、互いに対向するようにして前記カバー部材に一対設けられており、前記孔部は、前記支軸部に対応して前記本体に一対設けられており、更に、前記カバー部材は、前記支軸部の近傍に凹部を設けており、前記凹部は、前記支軸部が前記孔部に係合する際の弾性変形に基づく応力を緩和することを特徴とする請求項１に記載のカートリッジ用収納ケース。
【請求項３】
前記凹部は、前記カートリッジ用収納ケース内に収納されるカートリッジに干渉しない位置に形成されていることを特徴とする請求項２に記載のカートリッジ用収納ケース。
【請求項４】
前記支軸部と前記孔部の少なくとも一方には、前記支軸部が前記孔部に係合する際に案内する案内面が形成されていることを特徴とする請求項１乃至３のいずれかに記載のカートリッジ用収納ケース。
【請求項５】
前記孔部は、前記本体の前記開口と反対側に形成された奥壁の上部に設けられた凸部の両端に形成されており、前記孔部の前記開口側端部は、少なくとも前記孔部より外側の前記奥壁の内面より前記開口側へシフトしていることを特徴とする請求項２乃至４のいずれかに記載のカートリッジ用収納ケース。
【請求項６】
前記奥壁に沿って、前記凸部と前記本体の底壁とを連結するリブが設けられていることを特徴とする請求項５に記載のカートリッジ用収納ケース。
【請求項７】
前記カバー部材を前記閉位置に回動したときに、前記凹部に侵入する閉塞部を設けたことを特徴とする請求項２または３に記載のカートリッジ用収納ケース。
【請求項８】
請求項１乃至７のいずれかに記載のカートリッジ用収納ケースに収納されたカートリッジ。
【発明の詳細な説明】
【０００１】
【発明の属する技術分野】
本発明は、カートリッジ用の収納ケースに関し、特に光ディスクや光磁気ディスク等の記録媒体を収納したカートリッジ用の収納ケースに関する。
【０００２】
【従来の技術】
近年において、音楽録音やデータストレージ等の用途に用いられようになったミニディスクは、記録媒体であるディスク部を樹脂製のカートリッジ内に格納している。図１９，２０は、かかるミニディスクＭの一例を示す図であり、図１９はその上面図、図２０はその下面図である。円盤状のディスク部Ｄは、薄いボックス状のカートリッジＣにより保護されている。また、ミニディスクＭは、記録・再生装置の受け入れスロット（不図示）に対する挿入方向が定まっており、かかる挿入方向は、図１９においては上方であり、図２０においては下方である。図２０中、カートリッジＣの下端近傍に形成された凹部Ｃ１，Ｃ２に、記録・再生装置の爪部（不図示）が係合して、ミニディスクＭを装置内部へと搬送するようになっている。
【０００３】
【発明が解決しようとする課題】
ところで、ミニディスクＭに音楽や情報を記録した場合、記録した曲名や内容を記載したインデックスカードをミニディスクＭに付帯させることが一般的に行われている。そのようにして記載されたインデックスカードは、ミニディスクＭと共に保存される。
【０００４】
しかしながら、ミニディスクＭは収納ケースに収納されて保存されることが多いため、カートリッジＣにインデックスカードが貼り付けられると、収納ケースに対して出し入れされる際にその記載部分が擦れ、あるいは汚れてしまい、長期間の使用によりその記載が不明瞭となる恐れがある。又、記録・再生装置にミニディスクＭを挿入したときに、カートリッジＣからインデックスカードが剥がれて、記録・再生装置の機能を損なう恐れもある。そこで、一般的にインデックスカードは、ミニディスクＭが収納される収納ケースに付帯するようにしている。
【０００５】
上述したごとくインデックスカード（ラベル）を付帯する収納ケースは、たとえば特開平５−２７８７７２号、及び特開平９−２２６８７３号に開示されている。しかしながら、かかる従来技術の収納ケースにおいては、以下に述べるような問題がある。
【０００６】
まず、特開平５−２７８７７２号に開示された収納ケースはスリーブ状であるため、その内部の適切な位置にインデックスカードを配置することは困難である。従って、かかるスリーブ状の収納ケースにおいては、収納ケース表面にインデックスラベルを貼り付け、そこに曲名や情報を記載するようにしている。ところが、このように収納ケース表面にインデックスラベルを貼り付けると、同様に記載部分の擦れ、汚れが生じる恐れがある。加えて、このようなミニディスクの販売時には、インデックスカードやラベルは、収納ケースやミニディスク自体に未だ貼り付けられておらず、その接着面を覆った状態でコの字状に折り曲げられて、ミニディスクが収納された収納ケースの開口をふさぐようにしてセットされ、その上から包装フィルムでラッピングされることにより、収納ケースとの分離が防止されている。従って、かかるミニディスクを購入したユーザーが、包装フィルムを一旦破ってしまうと、インデックスカードやラベルは、収納ケースやミニディスクと分離してしまうので、そこに予め貼り付けておかない限り、その保管に不便であり、また紛失の恐れも大きいといえる。
【０００７】
一方、特開平９−２２６８７３号に開示された収納ケースは、収納ケース内部にインデックスカードを収納できるよう、蓋体を本体に対して回動可能に構成しているので、上述のような問題は生じない。しかしながら、かかる従来技術の構成は、ミニディスクを収納ケース内に収納した状態では蓋体が開かないようになっており、かかる状態ではインデックスカードを取り出すことができず、無理に取り出そうとすると収納ケースを破損する恐れがある。従って、インデックスカードを収納ケースから取り出すために、いちいちミニディスクを引き出さねばならず、取り扱いに不便である。
【０００８】
本発明は、かかる従来技術の問題点に鑑み、簡素な構成を有しながらも、インデックスカードを取り出しやすく、取り扱いに優れたカートリッジ用収納ケース、及びかかる収納ケースに収納されるカートリッジを提供することを目的とする。
【０００９】
【課題を解決するための手段】
上述の目的を達成すべく、本発明のカートリッジ用収納ケースは、本体と、カバー部材と、前記本体と前記カバー部材とを連結する連結手段とを有し、シート状体とカートリッジとを収納可能なカートリッジ用収納ケースにおいて、前記連結手段は、前記本体と前記カバー部材の一方に設けられた支軸部と、前記本体と前記カバー部材の他方に設けられ、前記支軸部に係合する孔部とから構成され、前記カバー部材が前記本体に対して開位置と閉位置との間を回動可能となるように連結しており、前記カバー部材が前記閉位置に回動したときに、前記本体と前記カバー部材との間には、外部よりカートリッジの出し入れを許容する開口が形成されるとともに、前記カバー部材は、前記開位置へと回動する際に、カートリッジを保持し一体的に回動させるカートリッジ保持部を前記開口の先端から離れて収納ケース内部側に有し、前記カートリッジ保持部により前記開位置でも前記カバー部材の下面に沿って前記カートリッジの出し入れが許容され、前記カートリッジ用収納ケース内にカートリッジが格納されているか否かに関わらず、前記カバー部材が前記開位置に回動したときには、前記シート状体を出し入れ可能となっていることを特徴とする。
【００１０】
【作用】
本発明のカートリッジ用収納ケースによれば、前記連結手段が、前記本体と前記カバー部材の一方に設けられた支軸部と、前記本体と前記カバー部材の他方に設けられ、前記支軸部に係合する孔部とから構成されており、それにより簡素な構成でありながら、前記カバー部材を前記本体に対して開位置と閉位置との間で回動可能としている。更に、前記カバー部材が前記閉位置に回動したときに、前記本体と前記カバー部材との間には、外部よりカートリッジの出し入れを許容する開口が形成されるようになっており、それによりカートリッジの出し入れを容易にしている。一方、前記カートリッジ用収納ケース内にカートリッジが格納されているか否かに関わらず、前記カバー部材が前記開位置に回動したときには、カートリッジはカバー部材とともに回動し、このため、たとえばインデックスカードのようなシート状体を出し入れ可能となっているので、たとえばカートリッジと本体との間にインデックスカードが配置されていたとしても、カートリッジを抜き出すことなくインデックスカードの取り出しが可能となる。
【００１１】
【発明の実施の形態】
以下、本発明による実施の形態を、図面を参照して説明する。
図１及び２は、ミニディスクを収納可能な本実施の形態にかかる収納ケースを示す斜視図であり、図１はカバー部材を閉めた状態（すなわち、カバー部材が閉位置にある状態）を示し、図２はカバー部材を開けた状態（すなわち、カバー部材が開位置にある状態）を示す図である。
【００１２】
図１，２において、薄いボックス状の収納ケース１０は、カバー部材２０と、かかるカバー部材２０と別部品である本体３０とからなる。図１に示すように収納ケース１０は、カバー部材２０を閉めた状態でも、ミニディスクＭ（図１１，１２）を出し入れ可能な開口ＯＰを、その前面に形成している。尚、本体３０及びカバー部材２０は、ポリカーボネート、ポリスチレン、アクリル、ＡＳ樹脂など透明性を有する樹脂から形成されると好ましい。
【００１３】
図３はカバー部材２０のみを示す斜視図であり、図４は本体３０のみを示す斜視図であり、図５はカバー部材２０を裏返しにしてその下面を見た斜視図である。図４を参照して、まず本体３０から説明する。本体３０は、矩形状の底壁３１と、底壁３１の一辺に結合した左側側壁３２と、それに対向する一辺に結合した右側側壁３３と、更に底壁３１の一辺に結合し両側壁に直交する奥壁３４とから一体的に形成されている。底壁３１は、奥壁３４の結合する一辺に対向する辺（以下、開口側辺と称する）に矩形状の切欠部３１ａを形成している。更に底壁３１は、左側側壁３２と右側側壁３３の近傍において、薄く細長い形状のくぼみ３１ｂ、３１ｃをそれぞれ形成している。加えて、底壁３１は、奥壁３４近傍において、側壁３２，３３にそれぞれ平行に延在する板部３１ｆ、３１ｇを形成している。なお、底壁３１の開口側辺近傍は、わずかに高くなって段部３１ｄを形成している。
【００１４】
側壁３２，３３は、開口側辺に近い端部に袋孔３２ａ、３３ａを形成している。奥壁３４の上縁には、棒状の凸部３４ａがその全幅にわたって形成されており、その両端には孔部３４ｂ（一方のみ図示）が形成されている。尚、凸部３４ａは奥壁３４から開口側辺に向かって張り出した係止部３４ｃを有する。
【００１５】
次に、図３及び、特に図５を参照して、カバー部材２０について説明する。カバー部材２０は、矩形状の上壁２１と、上壁２１に結合した２つの側壁２２，２３とからなる。上壁２１は、本体３０（図４）の開口側辺に向かい合う辺（開口側辺）に矩形状の切欠部２１ａを形成し、かつその中央近傍に押し出し開口２１ｂを形成している。押し出し開口２１ｂは、手の指を挿入できる程度の大きさに形成されている。尚、押し出し開口２１ｂはミニディスクＭの抜き出し時に便利なものであるが、切欠部２１ａから露出したミニディスクＭを指で把持でき、それによりミニディスクＭを抜き出すことが可能となるので、押し出し開口２１ｂは必ずしも必要なものではないといえる。
【００１６】
側壁２２，２３は、上壁２１の対向する二辺の近傍に結合しており、従って上壁２１は、側壁２２，２３より外方に延在する張り出し部２１ｃ、２１ｄを有している。段部となる張り出し部２１ｃ、２１ｄにおける、開口側辺と反対側の端部には、瘤状の支持部２１ｅ、２１ｆが形成されており、更に支持部２１ｅ、２１ｆには、互いに対向する短円筒状の支軸部２１ｇ、２１ｈが形成されている。支軸部２１ｇ、２１ｈの構成については後述する。
【００１７】
側壁２２，２３は、その下縁（図５では上縁）に互いに対向した細長い板部２２ａ、２３ａを形成している。更に側壁２２，２３は、開口側辺と反対側の端部に、片持ちアーム２２ｂ、２３ｂを結合している。アーム２２ｂ、２３ｂの先端には、隆起部２２ｃ、２３ｃが形成されている。また側壁２２、２３は、開口側辺に近い端部近傍において、互いに離隔する方向に突出した凸部２２ｄ（図５）、２３ｄ（図３）を形成している。
【００１８】
図６は、カバー部材２０を閉じた状態で示す収納ケース１０の上面図であり、図７は、図６の収納ケース１０をＶＩＩ−ＶＩＩ線で切断して矢印方向に見た図であり、図８は、図６の収納ケース１０をＶＩＩＩ−ＶＩＩＩ線で切断して矢印方向に見た図であり、図９は、図６の収納ケース１０をＸＩ−ＸＩ線で切断して矢印方向に見た図である。尚、図７，８においては本体３０の側壁３２周辺のみを示しているが、側壁３３側についても構成は同様である。
【００１９】
図７に示すように、カバー部材２０を閉じた状態では、その側壁２２に形成された板部２２ａは、本体３０のくぼみ３１ｂに入り込むようになっている。又、収納ケース内に二点鎖線で示すように挿入されたミニディスクＭは、板部２２ａと上壁２１との間に支持されるようになっている。板部２２ａ（２３ａ）の上面がカートリッジ保持部を構成し、板部２２ａ（２３ａ）の下面がシート状部材保持部を構成する。
【００２０】
更に図８に示すように、ミニディスクＭが収納ケース内に挿入された場合、その凹部Ｃ２内に、凸部である隆起部２２ｃが進入するようになっている。図８に示す断面においては、カバー部材２０に板部３１ｆが当接して互いの間を密閉している。その理由は、カバー部材２０に隆起部２２ｃを設けたため、板部３１ｆをカバー部材２０に形成すると型が複雑となってコストが上昇するからである。尚、図７，８から明らかであるが、カバー部材２０の張り出し部２１ｃと本体３０との間には、断面が矩形状の溝Ｇが形成されるようになっている。
【００２１】
図９に示すように、ミニディスクＭが収納ケース内に挿入された場合、その内方端は本体３０の係止部３４ｃに当接し、それ以上内方に進入できないようになっている。
【００２２】
図１０は、図６に示す収納ケース１０のＸ部を拡大して示す図であり、図１１は、図１０の収納ケース１０のうち本体３０をＸＩ−ＸＩ線で切断して矢印方向に見た図であり、図１２は、図１０と同様な拡大図であるが、カバー部材２０を取り外しかつ奥壁３４のみをＸＩＩ−ＸＩＩ線で切断して示した図であり、図１３は、本体３０の孔部近傍を示す斜視図であるが、かかる図においてはカバー部材の支軸部が共に示されている。以下、図面を参照して、支軸部及び孔部を含む構成を詳述するが、各一対ある支軸部及び孔部は同じ構成を有するため、一方のみを中心に説明する。
【００２３】
図１１に示すように、奥壁３４の上端（図中左端）に形成された凸部３４ａは、断面が台形状となっており、奥壁３４の厚さより厚くなっている。凸部３４ａは、中央近傍に孔部３４ｂを形成している。奥壁３４は、凸部３４ａの下方を延在し、図１２に示すように奥壁端部３５に続いている。孔部３４ｂの図中下方端は、奥壁端部３５より内方（図中下方）に距離δだけシフトしている。この理由を以下に述べる。
【００２４】
孔部３４ｂが支持する支軸部２１ｈ（図５）の十分な強度を確保するため、孔部３４ｂの内径は１．２乃至１．６ｍｍ程度必要であるということがわかっている。ところが、本来、奥壁３４の厚さは側壁３２，３３と同じ値、たとえば１．８ｍｍであるから、奥壁３４に孔部を直接形成した場合、孔部周囲の肉厚が薄くなって強度が低下する恐れがある。
【００２５】
ここで、孔部３４ｂを形成できるように奥壁３４の厚さを厚くすることも考えられるが、そうすると樹脂成型時に奥壁３４にヒケ（収縮欠陥）が発生する恐れがあり、それにより外観品質が低下してしまう。そこで、より厚い凸部３４ａを奥壁３４に設けるようにして、そこに孔部３４ｂを形成するようにしているのである。尚、孔部３４ｂの周囲の十分な強度を確保するため、その肉厚は、０．６乃至１．０ｍｍ必要であることがわかっている。従って、凸部３４ａの厚さは、２．４乃至３．６ｍｍ程度必要ということとなる。
【００２６】
一方、カートリッジ用収納ケースは、立てた状態で保管する場合もあることから、奥壁３４の外側面は、面一であることが好ましい。従って、凸部３４ａは、収納ケースの内方に突出した構成となっている。かかる構成を有する凸部３４ａにおいて十分な強度を確保できる位置に、孔部３４ｂを形成すると、孔部３４ｂの図１２中下方端は、奥壁端部３５より内方（図中下方）に距離δだけシフトすることとなる。
【００２７】
更に、図１３に示す凸部３４ａ近傍は、スライドコア式金型を用いて形成することになる。かかる場合に、凸部３４ａ全体をスライドコアで形成する態様と、孔部３４ｂの形状のみを、それに合致したピン形状のスライドコアで形成する態様が考えられる。ここで、凸部３４ａ全体をスライドコアで形成する態様によれば、奥壁端部３５の厚みを厚くしなければならず、上述した問題が生じる。これに対し、孔部３４ｂの形状のみをピン形状のスライドコアで形成する態様によれば、奥壁端部３５を薄くすることができ、しかもピンを抜き取る際にシンプルな動作で足り、それにより金型の信頼性や耐久性を向上させることができる。
【００２８】
尚、上述したように、凸部３４ａは、奥壁３４から内方に突き出た形状となっているので、孔部３４ｂに支軸部２１ｈ（図５）から大きな力を受けると、奥壁３４の応力が過大となる恐れがある。そこで、図１１、１３に示すように、孔部３４ｂの近傍において、凸部３４ａから底壁３１まで奥壁３４に沿ってリブ３４ｄが形成されている。かかるリブ３４ｄを設けているので、孔部３４ｂに大きな力が付与されても、奥壁３４に過大な応力が生じることを抑止できるようになっている。ただし、孔部３４ｂにさほど大きな力が付与されないことが予想される場合には、かかるリブを削除することも可能である。
【００２９】
本体３０にカバー部材２０を組み付ける場合には、隆起部２１ｅ、２１ｆ（図５）を押し広げるようにして、支軸部２１ｈ（２１ｉ）を孔部３４ｂに挿入するようになっている。かかる場合、隆起部２１ｆ（２１ｅ）の根本の応力を緩和すべく、図１０に示すように、カバー部材２０の上壁２１において、支持部２１ｆ（２１ｅ）の根本近傍に、台形状に切欠かれた凹部２１ｋ（一方のみ図示）を形成している。尚、一対設けられた凹部２１ｋの間隔を、カートリッジの幅と同じか、それ以上とすることにより、収納ケースにカートリッジを挿入する際に、凹部２１ｋと干渉して傷つくような不具合を防止することができる。
【００３０】
更に、図１３において明らかなように、凸部３４ａは、孔部３４ｂが設けられた端面の上部に、案内面としての面取り部３４ｅを形成しており、一方、対応する支軸部２１ｈも、その先端下部に案内面としての面取り部２１ｍを形成している。この面取り部３４ｅ、２１ｍを互いにスライドさせるようにしながら、本体３０にカバー部材２０を組み付ければ、容易に組み付けが可能となる。尚、面取り部３４ｅ、２１ｍのいずれかが設けられていれば、組み付け時に、かかる案内の効果が奏されることとなる。
【００３１】
図１４乃至図１６は、第２の実施の形態を示す図であり、図１４は、第１の実施の形態を示す図１０に対応する図であり、図１５は、図１４に示す構成をＸＶ−ＸＶ線で切断して矢印方向に見た図であり、図１６は、図１３に対応する図である。尚、第２の実施の形態については、第１の実施の形態に対して異なる点を中心に説明し、共通する点については説明を省略する。
【００３２】
第２の実施の形態においては、図１４乃至図１６において明らかなように、孔３４ｂ周囲における図１５中左下側の肉厚を厚くすることにより、閉塞部としての突出部３４ｆを形成している。本実施の形態によれば、本体３０に対してカバー部材２０を閉位置に回転移動させたとき、突出部３４ｆが凹部２１ｋ（図１５）内に侵入するようになり、それにより凹部２１ｋを介して外部から異物が侵入しにくい構成が提供されることとなる。
【００３３】
図１７は、本実施の形態にかかる収納ケース１０に使用可能なインデックスカードを示す斜視図であり、図１８はその変形例を示す斜視図である。図１７において、シート状体であるインデックスカードＩＤは、１枚の矩形紙を折り曲げたものであり、細長い背表紙部ＩＤａと、広い記載部ＩＤｂとからなる。
【００３４】
次に、収納ケース１０内にインデックスカードを収納する場合における、本実施の形態の動作について説明する。まず図２に示すように、本体３０に対してカバー部材２０を開いた位置へと回動させる。続いて、図１７に示すインデックスカードＩＤを、背表紙ＩＤａが本体３０の奥壁３４（図４）に対向するようにして挿入する。かかる状態から、カバー部材２０を図１に示す閉じた位置へと回動させれば、インデックスカードの収納が完了する。カバー部材２０が閉じた状態では、カバー部材２０の凸部２２ｄ（図５）、２３ｄ（図３）が、本体３０の袋孔３２ａ、３３ａに係合しており、カバー部材２０は本体３０に対して不用意に回動することはない。一方、かかるインデックスカードを取り出そうとする場合、この逆の操作をすればよい。尚、凸部２２ｄ、２３ｄ及び袋孔３２ａ、３３ａが開き防止用ロック部材を構成する。
【００３５】
以上の動作は、収納ケース１０にミニディスクＭが収納されているか否かに関わらず可能である。ミニディスクＭはカバー部材２０と共に回動するため、インデックスカードの出し入れを邪魔しないからである。尚、本体３０及びカバー部材２０は、透明性のある樹脂から形成されているので、インデックスカードＩＤの背表紙ＩＤａ及び記載部ＩＤｂに記載された文字を、ユーザーは収納ケース１０の外部から読みとることができる。
【００３６】
本実施の形態においては、インデックスカードＩＤを本体３０内に配置し、カバー部材２０を閉じることにより、図７に示すように、かかるインデックスカードＩＤは、その側縁がカバー部材２０の板部２２ａにより本体３０のくぼみ３１ｂに押しつけられて固定される。従って、収納ケース１０内にミニディスクが収納されていない場合でも、インデックスカードＩＤはしっかり固定され、不用意に収納ケース１０から開口ＯＰ（図１）を介して落下することはない。尚、板部２２ａによりくぼみ３１ｂに押しつけられた際、インデックスカードＩＤの側縁が若干折れ曲がるが、くぼみ３１ｂは浅いためインデックスカードＩＤが破れることはない。
【００３７】
若干でもインデックスカードが折れ曲がることを嫌う場合には、図１８に示すようなインデックスカードＩＤ’を用いればよい。図１８に示すインデックスカードＩＤ’は、図１７の示すものと類似しているが、記載部ＩＤｂの両側縁に矩形状の切欠ＩＤｃを形成している点が異なっている。切欠ＩＤｃは、本体３０のくぼみ３１ｂとほぼ同じ形状を有しているため、インデックスカードＩＤ’を本体３０内に配置し、カバー部材２０を閉じることにより、切欠ＩＤｃ内にカバー部材２０の板部２２ａが入り込むようになっている。従って、カバー部材２０を閉じても、インデックスカードＩＤ’は折れ曲がることなく、板部２２ａに切欠ＩＤｃが引っかかるようになるため、収納ケース１０内にミニディスクが収納されていない場合でも、不用意に収納ケース１０から開口ＯＰを介して落下することはない。
【００３８】
次に、収納ケース１０内にミニディスクＭを収納する場合における、本実施の形態の動作について説明する。本実施の形態にかかる収納ケース１０においては、従来技術によるスリーブタイプと同様に、カバー部材２０を閉じた状態でミニディスクＭを出し入れ自在となっている。上述したように、ミニディスクＭが収納ケース１０内に挿入された場合、その内方端は本体３０の係止部３４ｃ（図９）に当接し、それ以上内方に進入できないようになっている。ミニディスクＭを、その内方端が奥壁３４に当たるまで進入させるようにすると、かかる状態ではカバー部材２０が開かなくなる恐れがあり、また無理に開くことにより収納ケースを破損させる恐れがあるからである。
【００３９】
又、カバー部材２０を閉じた状態でミニディスクＭが収納ケース１０に挿入されるとき、予め内部に配置されたインデックスカードＩＤが収納ケース１０の進入を阻止しないように、本体３０の開口側に形成された段部３１ｄが、インデックスカードＩＤが配置される底壁３１からカード厚さ分だけ高くなっている。
【００４０】
カバー部材２０を閉じた状態で、ミニディスクＭを収納ケース１０から取り出す場合には、ユーザーが、カバー部材２０の押し出し開口２１ｂから露出したミニディスクＭに、その手の指を押し当てて押し出すようにするか、中央切欠２１ａ、３１ａから露出したミニディスクＭを把持して引き出すようにすればよい。
【００４１】
なお、カバー部材２０を開いた状態で、ミニディスクＭを、カバー部材２０の下面に沿って挿入することもできる。かかる場合、ミニディスクＭの内方端が係止部３４ｃ（図９）に当接し、かつその凹部Ｃ１，Ｃ２が、カバー部材２０の隆起部２２ｃ、２３ｃにそれぞれ係合し、ミニディスクＭがカバー２０に保持される。
【００４２】
本実施の形態においては更に、カバー部材２０を閉じた状態で、本体３０とカバー部材２０との間には、図７，８に示すように溝Ｇ（すなわち隙間）が形成されている。従って、この溝Ｇを用いることにより、たとえば特開平８−２９５３８５号に開示されているような、複数の収納ケースを収納する容器に、本実施の形態の収納ケースを１０を収納することができる。
【００４３】
以上、本発明を実施の形態を参照して説明してきたが、本発明は上記実施の形態に限定して解釈されるべきではなく、適宜変更・改良が可能であることはもちろんである。たとえば本体に一対の支軸部を設け、対応する孔部をカバー部材に設けても良く、更には、本体に支軸部と孔部とを設け、これに対応する孔部と支軸部とをカバー部材に設けても良い。また、本発明は、ミニディスクに限らずＣＤや他のカートリッジを収納する収納ケースに適用可能である。
【００４４】
【発明の効果】
本発明のカートリッジ用収納ケースによれば、連結手段が、本体とカバー部材の一方に設けられた支軸部と、前記本体と前記カバー部材の他方に設けられ、前記支軸部に係合する孔部とから構成されており、それにより簡素な構成でありながら、前記カバー部材を前記本体に対して開位置と閉位置との間で回動可能としている。更に、前記カバー部材が前記閉位置に回動したときに、前記本体と前記カバー部材との間には、外部よりカートリッジの出し入れを許容する開口が形成されるようになっており、それによりカートリッジの出し入れを容易にしている。一方、前記カートリッジ用収納ケース内にカートリッジが格納されているか否かに関わらず、前記カバー部材が前記開位置に回動したときには、たとえばインデックスカードのようなシート状体を出し入れ可能となっているので、たとえばカートリッジと本体との間にインデックスカードが配置されていたとしても、カートリッジを抜き出すことなくインデックスカードの取り出しが可能となる。
【図面の簡単な説明】
【図１】ミニディスクを収納可能な本実施の形態にかかる収納ケースを示す斜視図であり、カバー部材を閉めた状態を示す図である。
【図２】ミニディスクを収納可能な本実施の形態にかかる収納ケースを示す斜視図であり、カバー部材を開けた状態を示す図である。
【図３】カバー部材２０のみを示す斜視図である。
【図４】本体３０のみを示す斜視図である。
【図５】カバー部材２０を裏返しにしてその下面を見た斜視図である。
【図６】カバー部材２０を閉じた状態で示す収納ケース１０の上面図である。
【図７】図６の収納ケース１０をＶＩＩ−ＶＩＩ線で切断して矢印方向に見た図である。
【図８】図６の収納ケース１０をＶＩＩＩ−ＶＩＩＩ線で切断して矢印方向に見た図である。
【図９】図６の収納ケース１０をＸＩ−ＸＩ線で切断して矢印方向に見た図である。
【図１０】図６に示す収納ケース１０のＸ部を拡大して示す図である。
【図１１】図１０の収納ケース１０のうち本体３０をＸＩ−ＸＩ線で切断して矢印方向に見た図である。
【図１２】図１０と同様な拡大図であるが、カバー部材２０を取り外しかつ奥壁３４の断面をとって示した図である。
【図１３】本体３０の孔部近傍を示す斜視図である。
【図１４】図１０に対応する第２の実施の形態を示す図である。
【図１５】図１４に示す構成をＸＶ−ＸＶ線で切断して矢印方向に見た図である。
【図１６】図１３に対応する第２の実施の形態を示す図である。
【図１７】本実施の形態にかかる収納ケース１０に使用可能なインデックスカードを示す斜視図である。
【図１８】本実施の形態にかかる収納ケース１０に使用可能なインデックスカードの変形例を示す斜視図である。
【図１９】ミニディスクＭの一例の上面を示す図である。
【図２０】ミニディスクＭの一例の下面を示す図である。
【符号の説明】
１０    収納ケース
２０    カバー部材
２１ｇ、２１ｈ  支軸部
２１ｋ  凹部
２１ｍ  案内面
３０    本体
３４ａ  凸部
３４ｂ  孔部
３４ｄ  リブ
３４ｆ  突出部
３４ｅ  案内面
ＩＤ、ＩＤ’    インデックスカード
Ｍ    ミニディスク
【図１】
0003761124.tif 000002
【図２】
0003761124.tif 000003
【図３】
0003761124.tif 000004
【図４】
0003761124.tif 000005
【図５】
0003761124.tif 000006
【図６】
0003761124.tif 000007
【図７】
0003761124.tif 000008
【図８】
0003761124.tif 000009
【図９】
0003761124.tif 000010
【図１０】
0003761124.tif 000011
【図１１】
0003761124.tif 000012
【図１２】
0003761124.tif 000013
【図１３】
0003761124.tif 000014
【図１４】
0003761124.tif 000015
【図１５】
0003761124.tif 000016
【図１６】
0003761124.tif 000017
【図１７】
0003761124.tif 000018
【図１８】
0003761124.tif 000019
【図１９】
0003761124.tif 000020
【図２０】
0003761124.tif 000021